(57)【要約】【課題】  番組制作の作業効率を向上させる。【解決手段】  構成作業端末１００と応答作業端末２００とを備える番組制作支援システムであって、構成作業端末１００は、編集指示に必要な指示データを入力する指示データ入力部１１と、指示データを応答作業端末２００に送信する指示データ送信部１２と、応答作業端末２００が送信する応答データを受信する応答データ受信部２１と、受信した応答データを番組構成表に関連付けて表示する応答データ表示部２２と、を備え、応答作業端末２００は、構成作業端末１００が送信した指示データを受信する指示データ受信部５１と、受信した指示データを番組構成表に関連付けて表示する指示データ表示部５２と、編集作業に必要な応答データを入力する応答データ入力部６１と、応答データを構成作業端末１００に送信する応答データ送信部６２とを備える。【選択図】  図１
2006121666.tif 000002
【特許請求の範囲】
【請求項１】
番組制作に必要な番組構成表の構成作業を行う構成作業端末と、前記番組構成表の構成作業に必要な編集指示に応答して前記番組構成表の編集作業を行う応答作業端末とを備える番組制作支援システムであって、
前記構成作業端末は、
前記編集指示に必要な編集指示データを入力する指示データ入力部と、
前記編集指示データを前記応答作業端末に送信する指示データ送信部と、
前記応答作業端末が送信する応答データを受信する応答データ受信部と、
受信した応答データを前記番組構成表に関連付けて表示する応答データ表示部と、を備え、
前記応答作業端末は、
前記構成作業端末が送信した編集指示データを受信する指示データ受信部と、
受信した編集指示データを前記番組構成表に関連付けて表示する指示データ表示部と、
前記編集作業に必要な応答データを入力する応答データ入力部と、
前記応答データを前記構成作業端末に送信する応答データ送信部と、
を備える番組制作支援システム。
【請求項２】
前記構成作業端末は、
前記応答作業端末が行った編集作業の採択に必要な採択データを入力する採択データ入力部と、
入力された採択データを前記応答作業端末に送信する採択データ送信部と、を備え、
前記応答作業端末は、
前記構成作業端末が送信した採択データを受信する採択データ受信部と、
受信した採択データを前記番組構成表に関連付けて表示する採択データ表示部と、を備える請求項１に記載の番組制作支援システム。
【請求項３】
前記編集指示データ、前記応答データ及び前記採択データを記憶する記憶装置と、
前記編集指示データ、前記応答データ及び前記採択データにそれぞれ関連付けられた映像素材の特徴を表す主観的情報を、前記記憶装置に記憶された前記指示データ、前記応答データ及び前記採択データから取得する主観的情報取得手段、取得した主観的情報と前記映像素材とを関連付けた素材履歴データを生成する素材履歴データ生成手段、並びに、生成した素材履歴データを前記記憶装置に登録する素材履歴データ登録手段、を有する素材履歴データ管理部と、
を備える請求項２記載の番組制作支援システム。
【請求項４】
前記素材履歴データ管理部は、前記記憶装置に前記採択データが記憶されたことを判別するデータ判別部を有し、前記素材履歴データ生成手段は、前記採択データの前記記憶装置への記憶を契機として前記素材履歴データを生成する請求項３記載の番組制作支援システム。
【請求項５】
前記素材履歴データ生成手段は、前記指示データの指示内容に含まれる単語の反対語を作成するキーワード反対語変換部を有し、前記反対語を不採用となった映像素材の前記主観的情報として関連付けする請求項３記載の番組制作支援システム。
【請求項６】
前記素材履歴データ生成手段は、前記指示データの指示内容に含まれる単語の中から、前記採択データの不採用理由に含まれる単語の反対語に相当する単語を削除する不適当キーワード削除部を有し、削除後の前記指示内容に含まれる単語と前記不採用理由に含まれる単語を不採用となった映像素材の前記主観的情報として関連付けする請求項３記載の番組制作支援システム。
【請求項７】
番組制作に必要な番組構成表であって、
番組進行に従って前記番組構成表の構成作業に必要な編集指示の内容を表示する編集指示領域と、
前記編集指示に対して行った編集作業の内容を前記編集指示に対応付けて表示する編集作業領域と、を備える番組構成表。
【発明の詳細な説明】
【技術分野】
【０００１】
本発明は、放送局等で使用する番組制作支援システムに関する。
【背景技術】
【０００２】
近年、テレビ放送のデジタル化や放送形態の多様化に伴って、放送局における番組制作の負荷が増大している。そこで、番組制作の全体または一部を自動化して制作時間の短縮化、省力化を図る試みが行われている。例えば、番組構成表に基づいて、ニュース番組用のアナウンス原稿の制作状況を監視し、アナウンス原稿の発注から完成までの時間を短縮するニュース用アナウンス原稿管理装置などが提案されている（例えば、特許文献１参照）。
【０００３】
ところで、ニュース番組の番組構成表で管理される内容は、ニュース項目や時間枠など、客観的情報に限定されており、しかも番組構成表に基づいて行われる作業内容も原稿作成など特定の作業に限定される。従って、番組構成表に基づいて編集作業等の指示を自動的に行うことが容易である。
【特許文献１】特許番号２８８２３４８号公報（第３−５頁、第２図）
【発明の開示】
【発明が解決しようとする課題】
【０００４】
ところが、上記のような番組構成表に基づく編集等の作業指示の自動化は、その他の一般的な番組（例えば、ドラマやドキュメンタリー番組など）には適用できない。一般的な番組は、番組構成表に基づく編集作業指示の内容が多岐に渡るためである。例えば、ドラマなどの場合、同じシーンの映像であっても、映像編集者への編集指示は製作者によって微妙なニュアンスが異なる。編集等の作業指示は、作業指示者の主観的要素が強いものであり、客観的な情報である番組構成表とは異なる性質を有するが、従来では、これら主観的情報、客観的情報を明確に区別して管理することはなく、それぞれの性質を加味した効率的な編集作業が実現できなかった。
【０００５】
更に、従来の映像データベースでは、映像素材に関連付けされた情報が撮影日時や撮影対象など、客観的情報のみであったため、それを検索キーとした検索では対象映像を絞り込めず、膨大な量の映像ライブラリの中から編集作業で使用する所望の映像素材を的確に迅速に検索することが困難であった。
【０００６】
本発明は、上記事情に鑑みてなされたものであって、番組制作者の制作意図を的確に反映した番組構成表を作成し、番組構成表に基づく番組制作の作業効率を向上させることができる番組制作支援システムを提供することを目的とする。
【０００７】
また、番組構成表の作成過程において、映像素材と当該映像の特徴を表す主観的情報とを関連付けた履歴情報を生成、保持することにより、主観的情報に基づく映像素材の検索が行え、所望の映像素材を的確に迅速に検索できる番組制作支援システムを提供することを目的とする。
【課題を解決するための手段】
【０００８】
本発明の番組制作支援システムは、番組制作に必要な番組構成表の構成作業を行う構成作業端末と、前記番組構成表の構成作業に必要な編集指示に応答して前記番組構成表の編集作業を行う応答作業端末と、を備える番組制作支援システムであって、前記構成作業端末は、前記編集指示に必要な編集指示データを入力する指示データ入力部と、前記編集指示データを前記応答作業端末に送信する指示データ送信部と、前記応答作業端末が送信する応答データを受信する応答データ受信部と、受信した応答データを前記番組構成表に関連付けて表示する応答データ表示部と、を備え、前記応答作業端末は、前記構成作業端末が送信した編集指示データを受信する指示データ受信部と、受信した編集指示データを前記番組構成表に関連付けて表示する指示データ表示部と、前記編集作業に必要な応答データを入力する応答データ入力部と、前記応答データを前記構成作業端末に送信する応答データ送信部と、を備える。
【０００９】
上記構成によれば、指示データ又は応答データがそれぞれ構成作業端末又は応答作業端末から送信される度に指示データ又は応答データが番組構成表に反映されることにより、番組制作者の意図を的確に反映させた番組構成表に基づく番組制作を行うことができる為、番組制作の作業効率を向上させることができる。
【００１０】
また、本発明の番組制作支援システムは、前記構成作業端末が、前記応答作業端末が行った編集作業の採択に必要な採択データを入力する採択データ入力部と、入力された採択データを前記応答作業端末に送信する採択データ送信部と、を備え、前記応答作業端末が、前記構成作業端末が送信した採択データを受信する採択データ受信部と、受信した採択データを前記番組構成表に関連付けて表示する表示する採択データ表示部と、を備える。
【００１１】
上記構成によれば、応答作業端末で行われた編集作業に対する採用・不採用の状況を、番組制作者が番組編集者に伝達し、番組編集者は番組構成表でそれを確認できる為、番組制作の作業効率を向上させることができる。
【００１２】
また、本発明の番組制作支援システムは、前記編集指示データ、前記応答データ及び前記採択データを記憶する記憶装置と、前記編集指示データ、前記応答データ及び前記採択データにそれぞれ関連付けられた映像素材の特徴を表す主観的情報を、前記記憶装置に記憶された前記指示データ、前記応答データ及び前記採択データから取得する主観的情報取得手段、取得した主観的情報と前記映像素材とを関連付けた素材履歴データを生成する素材履歴データ生成手段、並びに、生成した素材履歴データを前記記憶装置に登録する素材履歴データ登録手段、を有する素材履歴データ管理部と、を備える。
【００１３】
上記構成によれば、映像素材と当該映像素材の特徴を表す主観的情報とを関連付けた素材履歴データを生成し、記憶装置に記憶させることにより、主観的情報に基づく映像素材の検索が行える為、所望の映像素材を的確に迅速に検索することができる。
【００１４】
また、本発明の番組制作支援システムは、前記素材履歴データ管理部が、前記記憶装置に前記採択データが記憶されたことを判別するデータ判別部を有し、前記素材履歴データ生成手段が、前記採択データの前記記憶装置への記憶を契機として前記素材履歴データを生成するものである。
【００１５】
上記構成によれば、採択完了後に採択結果を含めて素材履歴データを生成することにより、主観情報に基づく映像素材の検索を採択結果（ＯＫ,ＮＧ,不採用理由）を含めて行うことができ、所望の素材を的確に検索することができる。
指示に含まれている主観情報は、採択が行われるまで信頼性に乏しい。例えば、指示に「晴れ」と書いてあっても、採択でＮＧの場合は、実際には「晴れ」という条件を満たさない素材の可能性がある。このため、採択が無い状態で素材履歴データを生成（検索が行えるようにする）すると、検索結果が正確でなくなる恐れがある。しかし、採択完了後に採択結果を含めて素材履歴データを生成することにより、検索キーワードに「晴れ」と「ＯＫ」といれることにより、的確に「晴れ」の素材を検索できる。
【００１６】
また、本発明の番組制作支援システムは、前記素材履歴データ生成手段が、前記指示データの指示内容に含まれる単語の反対語を作成するキーワード反対語変換部を有し、前記反対語を不採用となった映像素材の前記主観的情報として関連付けするものである。
【００１７】
上記構成によれば、指示単語の反対語を用いて素材履歴データを生成することにより、不採用となった映像素材の特徴を表す的確な主観的情報を当該映像と関連付けることができ、従って、主観的情報に基づく映像素材の検索が行え、所望の映像素材を的確に迅速に検索することができる。
【００１８】
また、本発明の番組制作支援システムは、前記素材履歴データ生成手段が、前記指示データの指示内容に含まれる単語の中から、前記採択データの不採用理由に含まれる単語の反対語に相当する単語を削除する不適当キーワード削除部を有し、削除後の前記指示内容に含まれる単語と前記不採用理由に含まれる単語を不採用となった映像素材の前記主観的情報として関連付けするものである。
【００１９】
上記構成によれば、不採用理由の反対語である不適切な指示単語を削除して素材履歴データを生成することにより、不採用となった映像素材の特徴を表す的確な主観的情報だけを当該映像と関連付けることができ、従って、主観的情報に基づく映像素材の検索が行え、所望の映像素材を的確に迅速に検索することができる。
【００２０】
さらに、本発明の番組構成表は、番組制作に必要な番組構成表であって、番組進行に従って前記番組構成表の構成作業に必要な編集指示の内容を表示する編集指示領域と、前記編集指示に対して行った編集作業の内容を前記編集指示に対応付けて表示する編集作業領域と、を備える。
【００２１】
上記構成によれば、番組構成表において、編集指示の内容と編集作業の内容とを対応付けることにより、番組制作者の意図を的確に反映させた番組構成表に基づく番組制作を行うことができる為、番組制作の作業効率を向上させることができる。
【発明の効果】
【００２２】
本発明により、編集指示等の主観的情報と、番組構成等の客観的情報を関連付けて且つ分離して管理することにより、番組制作者の制作意図を的確に反映した番組構成表を作成し、番組構成表に基づく作業効率を向上させることができる。
【００２３】
また、映像素材と当該映像素材の特徴を表す主観的情報とを関連付けた素材履歴データを生成し、記憶装置に記憶させることにより、主観的情報に基づく映像素材の検索が行える為、所望の映像素材を的確に迅速に検索することができる。
【発明を実施するための最良の形態】
【００２４】
以下、添付図面を参照しながら本発明の実施形態に係る番組制作支援システムについて詳細に説明する。尚、実施の形態を説明するための全図において、同一機能を有するものは同一符号を付与し、説明は繰り返さないこととする。
【００２５】
（実施の形態１）
図１は、本発明の実施の形態１における番組制作支援システムの構成を示す図である。図１に示す番組制作支援システムは、番組制作に必要な番組構成表の構成作業を行う構成作業端末１００と、番組構成表の構成作業に必要な編集指示に応答して番組構成表の編集作業を行う応答作業端末２００と、番組構成表を記憶する記憶装置３００とを備えるものである。
【００２６】
構成作業端末１００は、指示データ入力部１１、指示データ送信部１２、応答データ受信部２１、応答データ表示部２２、採択データ入力部３１、採択データ送信部３２、送受信部４０を具備する。指示データ入力部１１は、編集指示に必要な指示データを入力する。指示データ送信部１２は、入力された指示データを後述する送受信部４０を介して記憶装置３００へ送信、登録する。また、当該指示データに関わる識別子情報を、同じく送受信部４０を介して応答作業端末２００へ送信する。また、応答データ受信部２１は、応答作業端末２００が記憶装置３００に登録した応答データに関する識別子情報を、送受信部４０を介して受信し、受信した応答データを記憶装置３００から取得して応答データ表示部２２へ送出する。応答データ表示部２２は、応答データ受信部２１から受信した応答データを番組構成表に関連付けて表示する。また、採択データ入力部３１は、応答作業端末２００が行った編集作業の採択に必要な採択データ（採択可否の判定結果）を入力する。採択データ送信部３２は、入力された採択データを、送受信部４０を介して記憶装置３００へ送信、登録する。また、当該採択データに関わる識別子情報を、同じく送受信部４０を介して応答作業端末２００へ送信する。また、送受信部４０は、データ通信装置で構成され、構成作業端末１００と記憶装置３００または応答作業端末２００との間でデータの送受信を制御する。
【００２７】
応答作業端末２００は、指示データ受信部５１、指示データ表示部５２、応答データ入力部６１、応答データ送信部６２、採択データ受信部７１、採択データ表示部７２、送受信部８０を具備する。指示データ受信部５１は、構成作業端末１００で作成された指示データに関わる識別子情報を、後述する送受信部８０を介して受信する。また指示データ受信部５１は、該当する指示データを記憶装置３００から取得して指示データ表示部５２へ送出する。指示データ表示部５２は、指示データ受信部５１が受信した指示データを番組構成表に関連付けて表示する。また、応答データ入力部６１は、構成作業端末１００が送信した指示データに対する（編集作業に必要な）応答データを入力する。応答データ送信部６２は、入力された応答データを、送受信部８０を介して記憶装置３００へ送信、登録する。また、当該応答データに関わる識別子情報を、同じく送受信部８０を介して構成作業端末１００へ送信する。また、採択データ受信部３１は、構成作業端末１００で作成された採択データに関わる識別子情報を、送受信部８０を介して受信する。また、採択データ受信部３１は、該当する採択データを記憶装置３００から取得して採択データ表示部７２へ送出する。採択データ表示部７２は、採択データ受信部７１が受信した番組構成表データを表示する。また、送受信部８０は、データ通信装置で構成され、応答作業端末２００と記憶装置３００または構成作業端末１００との間でデータの送受信を制御する。
【００２８】
記憶装置３００は、メモリで形成され、番組構成表を表示させるための番組構成表データ９１、指示データ９２、応答データ９３、採択データ９４、映像素材データ９５などの各種データを記憶する。ここで映像素材データ９５とは、取材等においてビデオカメラ等で録画した映像データのことで、番組編集者は、番組制作者からの指示に従って、この映像素材の中から適切な映像データを選択したり、選択した映像データの編集等の加工を行ったりする。尚、番組構成データ、指示データ、応答データ、採択データの詳細については後述する。
【００２９】
次に、上記構成の番組制作支援システムの、番組制作支援動作について説明する。
【００３０】
図２は、本発明の実施の形態１における番組制作支援システムを用いて実行する作業と処理の流れの概要を説明する図である。はじめに、プロデューサやディレクタなどの番組制作者は、番組構成表に基づいて、必要な画像の選択や編集などの作業指示を、構成作業端末１００から番組編集者に対して行う。指示内容は指示データとして記憶装置３００に登録され、同時に当該指示データの識別子情報が指示連絡として応答作業端末２００へ送信される（指示作業）。
【００３１】
次に、エディタやスタッフなどの番組編集者は、応答作業端末２００で指示連絡を受信し、更に、指示データを記憶装置３００から取得することにより指示内容を確認する。指示内容に沿う編集作業等を応答作業端末で実行して、作業が終了すると、当該作業内容が応答データとして記憶装置３００へ登録される。同時に、当該応答データの識別子情報が作業結果報告として構成作業端末１００へ送信される（応答作業）。
【００３２】
最後に、番組製作者は、構成作業端末１００で結果報告を受信し、更に、応答データを記憶装置３００から取得して、指示に対する応答作業内容を確認する。番組製作者は、当該作業内容を実際に番組で使用するか否か（採択）を決定する。決定内容は、採択データとして記憶装置３００に登録され、同時に当該採択データの識別子情報が採択連絡として応答作業端末２００に送信される（採択作業）。従って、応答作業端末２００の番組編集者は、採択データを記憶装置３００から取得することにより、自身が行った素材選択や編集などの応答作業に対する採択可否の結果を把握することができる。
【００３３】
ここで、指示データや応答データ、採択データを関連付ける番組構成表について説明する。番組制作者が番組編集者に対して編集等の指示を行う際や、番組編集者が指示内容に応答した作業を行う際などは、番組構成表データに基づいて生成されるＧＵＩ（Graphical User Interface）画面から作業を開始する。図３は、番組構成表データに基づいて生成された番組構成表ＧＵＩ画面の表示例を示す模式図である。このＧＵＩ画面は、構成作業端末、応答作業端末のいずれにも表示される画面である。図に示すように、番組はその構成から時系列でシーケンスに分類され、シーケンスは更に複数のシーンに分類される。シーンは複数のカットで構成され、番組構成表のすべてのカットに対して適切な映像や画像を配置していくことにより番組構成が完成する。このＧＵＩ画面では、カット欄内に配置されたボタンをクリックすることにより、各作業画面が起動する。
【００３４】
例えば、番組制作者が、カット内容欄にある新規指示入力ボタンをクリックすると、指示データ入力部１１に制御が移り、当該カットに対する指示作業を行う指示データ入力画面に遷移して、詳細な指示を入力することができる。シーン１のカット１では、既に編集指示として「金沢武家屋敷の風景」の画像を要求する指示が入力されている。本実施の形態では、この項目表示を、指示、応答、採択の作業段階に応じて色分けするので、現在の作業段階を視覚的に把握しやすい。
【００３５】
また、番組編集者が、編集指示欄にある内容表示ボタンをクリックすると、指示データ受信部５１及び指示データ表示部５２に制御が移り、指示データの内容表示画面に遷移して、指示内容の詳細を把握することができる。更に、番組編集者が、編集指示欄にある応答入力ボタンをクリックすると、応答データ入力部６１に制御が移り、応答データ入力画面に遷移して、編集等の詳細な作業を行うことができる。図４は、番組構成表データのデータ構成を概念的に示す模式図である。上記のＧＵＩ画面は、図に示すような個々の番組構成表データで構成される。尚、本実施の形態では、既に作成された番組構成表データに対して指示、応答、採択などの各種作業を実行するため、番組構成表データの構成やデータ入力についての説明は省略する。
【００３６】
次に、指示作業における番組制作支援システムの動作の詳細について説明する。図５は、指示作業における番組制作支援システムの動作手順を示すフローチャートである。また、図６は、指示作業における処理とデータの流れを説明するための図である。
【００３７】
はじめに、番組制作者が、構成作業端末の画面に表示されている番組構成表の「新規指示入力ボタン」をクリックすると、指示データ入力部１１が、図７に示すような指示データ入力画面を起動するので、番組編集者の指定や、必要な素材収集や編集作業の詳細内容などを入力する（ステップＳ１０１、図６の処理１）。指示データの入力が終了すると、指示データ送信部１２は、送受信部４０を介して指示データを記憶装置３００へ登録する（ステップＳ１０２、図６の処理２、処理３）。図８は、指示データのデータ構成を概念的に示す模式図である。指示データには、番組構成表を特定し、指示場所を示す識別子情報が含まれている。指示データ送信部１２は、当該指示データの識別子情報を応答作業端末２００へ送信する（ステップＳ１０３、図６の処理４）。
【００３８】
応答作業端末２００の指示データ受信部５１は、送受信部８０を介して識別子情報を受信し（ステップＳ１０４）、識別子情報に基づいて記憶装置３００から指示データを取得する（ステップＳ１０５、図６の処理５）。指示データ受信部５１は、取得した指示データを指示データ表示部５２に送出し、指示データ表示部５２は指示データを表示する（ステップＳ１０６、図６の処理６）。
【００３９】
次に、応答作業における番組制作支援システムの動作の詳細について説明する。図９は、応答作業における番組制作支援システムの動作手順を示すフローチャートである。また、図１０は、応答作業における処理とデータの流れを説明するための図である。
【００４０】
はじめに、番組編集者が、応答作業端末の画面に表示されている番組構成表の「応答入力ボタン」をクリックすると、応答データ入力部６１が、図１１に示すような応答データ入力画面が起動するので、指示データに対応する素材の収集や編集など、応答データの入力を行う（ステップＳ２０１、図１０の処理７）。応答データの入力が終了すると、応答データ送信部６２は、送受信部８０を介して応答データを記憶装置３００へ登録する（ステップＳ２０２、図１０の処理８、処理９）。図１２は、応答データのデータ構成を概念的に示す模式図である。応答データには、番組構成表を特定し、指示場所を示す識別子情報が含まれている。応答データ送信部１２は、当該応答データの識別子情報を構成作業端末１００へ送信する（ステップＳ２０３、図１０の処理１０）。
【００４１】
構成作業端末１００の応答データ受信部２１は、送受信部４０を介して識別子情報を受信し（ステップＳ２０４）、識別子情報に基づいて記憶装置３００から応答データを取得する（ステップＳ２０５、図１０の処理１１）。応答データ受信部２１は、取得した応答データを応答データ表示部２２に送出し、応答データ表示部２２は応答データを表示する（ステップＳ２０６、図１０の処理１２）。
【００４２】
次に、採択作業における番組制作支援システムの動作の詳細について説明する。図１３は、採択作業における番組制作支援システムの動作手順を示すフローチャートである。また、図１４は、採択作業における処理とデータの流れを説明するための図である。
【００４３】
はじめに、番組制作者が、構成作業端末の画面に表示されている番組構成表の「採択入力ボタン」をクリックすると、採択データ入力部３１が、図１５に示すような採択データ入力画面が起動するので、採択結果やその内容などを入力する（ステップＳ３０１、図１４の処理１３）。採択データの入力が終了すると、採択データ送信部３２は、送受信部４０を介して採択データを記憶装置３００へ登録する（ステップＳ３０２、図１４の処理１４、処理１５）。図１６は、採択データのデータ構成を概念的に示す模式図である。採択データには、番組構成表を特定し、指示場所を示す識別子情報が含まれている。採択データ送信部３２は、当該採択データの識別子情報を応答作業端末２００へ送信する（ステップＳ３０３、図１４の処理１６）。
【００４４】
応答作業端末２００の採択データ受信部７１は、送受信部８０を介して識別子情報を受信し（ステップＳ３０４）、識別子情報に基づいて記憶装置３００から採択データを取得する（ステップＳ３０５、図１４の処理１７）。採択データ受信部７１は、取得した採択データを採択データ表示部７２に送出し、採択データ表示部７２は採択データを表示する（ステップＳ３０６、図１４の処理１８）。
【００４５】
ところで、上記の実施の形態においては、初期画面である番組構成表ＧＵＩ画面にアクセスする場合にＩＤ認証などを実行して、当該番組（即ち、番組構成表）に関係のある番組制作者や番組編集者のみがアクセスできるように設定しておくことがセキュリティ上好ましい。また、指示データや応答データ、採択データの入力時においても適宜認証を行って、正当な権限を有する者の入力であるか否かを監視することが好ましい。
【００４６】
尚、上記の実施の形態１の番組制作支援システムは、図１に示すように、構成作業端末及び応答作業端末がそれぞれ１台ずつで構成されるシステムとしたが、構成作業端末及び応答作業端末は１台である必要はなく、２台以上で構成したシステムとしてもよい。
【００４７】
以上のように、実施の形態１の番組制作支援システムによれば、指示、応答、採択の各作業の結果が番組構成表に関連付けて一元的に管理されることにより、ドラマやドキュメンタリー番組など、番組制作者の主観的な意向を反映した素材選択や映像編集が必要な番組においても、番組制作者の複雑な指示を番組編集者が的確に把握し、指示に対応した編集等の応答動作を効率的に実行することができる。また、これまで口頭や書面で行われていた依頼や結果連絡などがすべて番組構成表に関連付けて記憶されるため、例えば、映像の選択や編集の履歴なども正確に追跡することができる。
【００４８】
（実施の形態２）
図１７は、本発明の実施の形態２における番組制作支援システムの構成を示す図である。図１７に示す番組制作支援システムは、実施の形態１の番組制作支援システムと同じく、番組制作に必要な番組構成表の構成作業を行う構成作業端末１００と、番組構成表の構成作業に必要な編集指示に応答して番組構成表の編集作業を行う応答作業端末２００と、番組構成表、指示データ、応答データ及び採択データを記憶する記憶装置３００とを備えるが、更に、番組構成表の編集作業において選択された映像素材と当該映像素材の特徴を表す主観的情報とを関連付けた素材履歴データを生成し、記憶装置３００に記憶させる素材履歴データ管理部３１０を備える点が異なる。図に示すように素材履歴データ管理部３１０は、構成作業端末１００と応答作業端末２００のそれぞれの送受信部４０及び８０を接続する経路上に接続され、記憶装置３００にも接続される。従って、記憶装置３００と同じユニット内に載置される構成としてもかまわない。
【００４９】
素材履歴データ管理部３１０は、データ種別判別部３２０と履歴データ継承部３３０とを具備する。データ種別判別部３２０は、構成作業端末１００や応答作業端末２００で送受信されるデータを監視してその種別（指示データ、応答データ、採択データ）を判別する。履歴データ継承部３３０は、指示データ、応答データ及び採択データにそれぞれ関連付けられた映像素材の特徴を表す主観的情報を、記憶装置３００に記憶された指示データ、応答データ及び採択データから取得する機能、取得した主観的情報と映像素材とを関連付けた素材履歴データを生成する機能、並びに、生成した素材履歴データを記憶装置３００に登録する機能を有する。履歴データ継承部３３０は、データ種別判別部３２０において採択データと判別されたデータが記憶装置３００に登録された場合に、当該採択データに対応する映像素材とその特徴を表す主観的情報とを関連付け、編集作業の履歴を示す素材履歴データとして記憶装置３００に登録する。尚、履歴データ継承部３３０の詳細な内部構成及びその動作については後述する。
【００５０】
次に、上記構成の番組制作支援システムの、素材履歴データ登録動作について説明する。
【００５１】
図１８は、本発明の実施の形態２における番組制作支援システムを用いて実行する作業と処理の流れの概要を説明する図である。
【００５２】
実施の形態１で説明したように、番組制作者と番組編集者が行う作業（番組制作者から番組編集者への指示作業、番組編集者から番組制作者への応答作業、そして番組制作者から番組編集者への採択作業）では、構成作業端末１００と応答作業端末２００の間で、指示データや応答データ、採択データの送受信が行われる。素材履歴データ管理部３１０のデータ種別判別部３２０は、送受信されるデータの種別を判別しており、採択データの記憶装置３００への登録を検知すると履歴データ継承部３３０に採択データを送出する。履歴データ継承部３３０は、採択データを取得して、当該採択データに対応する映像素材を特定し、更に映像素材の特徴を表す主観的情報を採択データから抽出し、編集作業の履歴を示す素材履歴データとして記憶装置３００に登録する。
【００５３】
図１９は、素材履歴データ登録動作における番組制作支援システムの処理手順を示すフローチャートである。また、図２０は、素材履歴データ登録動作における処理とデータの流れを説明するための図である。
【００５４】
はじめに、素材履歴データ管理部３１０のデータ種別判別部３２０は、番組制作者の構成作業端末と番組編集者の応答作業端末との間で行われる各種データの送受信（ステップＳ４０１）を監視して、データ種別の判別を行う（ステップＳ４０２、図２０の処理１）。そして、採択データが登録されたか否かの判定において（ステップＳ４０３）、登録された場合、履歴データ継承部３３０は、採択データを取得し、後述する素材履歴データの生成処理を行う（ステップＳ４０４、図２０の処理２、処理３）。一方、ステップＳ４０３の判定において採択データの登録がないと判定された場合、送受信されるデータを判別するステップＳ４０２に戻り、上記の手順を繰り返す。生成された素材履歴データは、記憶装置３００に登録される（ステップＳ４０５、図２０の処理４）。
【００５５】
ここで、履歴データ継承動作について詳細に説明する。
【００５６】
図２１は、履歴データ継承部３３０の詳細な内部構成を示す図である。履歴データ継承部３３０は、継承処理管理部３３１、採用素材継承部３３２、不採用素材継承部３３３を具備する。継承処理管理部３３１は、データ種別判別部３２０から取得した採択データが、映像素材の採用を示す採択データであるか、または不採用を示す採択データであるかを判別する。また、採用素材継承部３３２は、採用を示す採択データが指定する映像素材とその特徴に関する主観的情報とを関連付けて素材履歴データを生成する。不採用素材継承部３３３は、不採用を示す採択データが指定する映像素材とその特徴に関する主観的情報とを関連付けて素材履歴データを生成する。素材履歴データには、番組制作者への編集指示や編集作業に対する採用可否など、当該映像素材の特徴を表す主観的情報が反映される。また、採用素材継承部３３２及び不採用素材継承部３３３で生成された素材履歴データは、記憶装置３００へ登録される。
【００５７】
図２２は、履歴データ継承動作における番組制作支援システムの処理手順を示すフローチャートである。履歴データ継承動作における処理とデータの流れは図２１を用いて説明する。
【００５８】
はじめに、履歴データ継承部３３０の継承処理管理部３３１は、データ種別判別部３２０から採択データを取得し（ステップＳ５０１、図２１の処理２）、採択データを解析して採用または不採用の決定を把握する（ステップＳ５０２）。具体的には、採択データ（図１６参照）の採択結果情報を参照する。採択データの判定において（ステップＳ５０３）、採択結果情報が「ＯＫ」、即ち採用を示す採択データである場合、採用素材継承部３３２に処理が移行して素材履歴データが生成される（ステップＳ５０４、図２１の処理３−１）。一方、採択結果情報が「ＮＧ」、即ち不採用を示す採択データである場合、不採用素材継承部３３３に処理が移行して素材履歴データが生成される（ステップＳ５０５、図２１の処理３−２）。
【００５９】
ここで、採用素材継承部３３２と不採用素材継承部３３３における素材履歴データ生成動作について説明する。はじめに、図２３は、採用素材継承部３３２における素材履歴データ生成処理の手順を示すフローチャートである。採用素材継承部３３２は、継承処理管理部３３１から採用を示す採択データを取得して（ステップＳ６０１）、番組ＩＤ、指示ＩＤ、指示回数の各値を取得する（ステップＳ６０２）。採用素材継承部３３２は、取得した指示回数と同じ指示回数の応答データを記憶装置３００から検索、取得し（ステップＳ６０３）、取得した応答データから素材ＩＤを抽出する（ステップＳ６０４）。
【００６０】
次に、採用素材継承部３３２は、取得した採択データの素材ＩＤと同じＩＤの素材履歴データが過去に登録されているか否かを判定する（ステップＳ６０５）。登録されている場合、まず該当する素材履歴データを記憶装置３００から取得する（ステップＳ６０６）。次に、採択データの番組ＩＤと指示ＩＤをキーにしてすべての指示データを検索、取得する（ステップＳ６０７）。更に、取得した指示データから指示内容データを取得して（ステップＳ６０８）、取得した指示内容を既に登録されている素材履歴データに反映する(ステップＳ６０９）。一方、登録されていない場合、採択データの番組ＩＤと指示ＩＤをキーにしてすべての指示データを検索、取得する（ステップＳ６１０）。更に、取得した指示データから指示内容データを取得して（ステップＳ６１１）、素材ＩＤと取得した指示内容とを関連付けた素材履歴データを生成する(ステップＳ６１２）。
【００６１】
次に、図２４は、不採用素材継承部３３３における素材履歴データ生成処理の手順を示すフローチャートである。不採用素材継承部３３３は、継承処理管理部３３１から不採用を示す採択データを取得して（ステップＳ７０１）、番組ＩＤ、指示ＩＤ、指示回数、不採用理由の各値を取得する（ステップＳ７０２）。不採用素材継承部３３３は、取得した指示回数と同じ指示回数の応答データを記憶装置３００から検索、取得し（ステップＳ７０３）、取得した応答データから素材ＩＤを抽出する（ステップＳ７０４）。
【００６２】
次に、不採用素材継承部３３３は、取得した採択データの素材ＩＤと同じＩＤの素材履歴データが過去に登録されているか否かを判定する（ステップＳ７０５）。登録されている場合、まず該当する素材履歴データを記憶装置３００から取得する（ステップＳ７０６）。次に、採択データの番組ＩＤと指示ＩＤをキーにしてすべての指示データを検索、取得する（ステップＳ７０７）。更に、取得した指示データから指示内容データを取得して（ステップＳ７０８）、取得した指示内容と不採用理由を既に登録されている素材履歴データに反映する(ステップＳ７０９）。一方、登録されていない場合、採択データの番組ＩＤと指示ＩＤをキーにしてすべての指示データを検索、取得する（ステップＳ７１０）。更に、取得した指示データから指示内容データを取得して（ステップＳ７１１）、素材ＩＤと取得した指示内容及び不採用理由とを関連付けた素材履歴データを生成する(ステップＳ７１２）。
【００６３】
図２５は、生成される素材履歴データのデータ構成を概念的に示す模式図である。採用を示す採択データから生成される素材履歴データには、素材ＩＤと指示内容が、不採用を示す採択データから生成される素材履歴データには、素材ＩＤと指示内容と不採用理由が保持される。
【００６４】
以上の手順により素材履歴データの登録が行われる。素材履歴データには、当該映像素材に関する客観的情報（例えば、図の例では「金沢武家屋敷」など）に加え、番組制作者による主観的情報（例えば、図の例では番組制作者の編集指示や、「暗い、曇り」などの映像の特徴を示す記述など）も網羅されるため、以降はそれらをキーワードとして所望の映像素材を的確に迅速に検索することができる。
【００６５】
以下では、番組制作者と番組編集者が行う指示や応答のやり取りの中で生成される素材履歴データについて具体的に説明する。図２６は、番組制作者と番組編集者の間で行われる指示、応答、採択のやり取りと生成されるデータの流れを説明するための模式図である。
【００６６】
はじめに、番組制作者が、番組構成表の中で必要な映像素材とそれに対する具体的なイメージを指示すると、図２７に示すように、指示内容が指示データとして番組編集者へ送信される（処理Ａ）。一方、番組編集者は、指示に基づいて映像検索や編集などの処理を行い、同じく番組構成表の中で指示連絡に対応する映像素材として結果を入力すると、図２８に示すように、入力内容が応答データとして番組制作者へ送信される（処理Ｂ）。
【００６７】
番組制作者は、番組編集者からの結果報告の内容を吟味し、当該映像素材を採用するか否かを決定するが、図２６の例では、番組制作者のイメージにそぐわない映像素材であるとして不採用とされる。そのため、図２９に示すように、不採用を示す採択データが番組編集者へ送信される（処理Ｃ）。
【００６８】
データ種別判別部３２０が採択データの登録を検知すると、履歴データ継承部３３０に採択データが送出され、この場合は不採用素材継承部３３３で図３０に示すような素材履歴データが生成される。この素材履歴データには、「暗い、曇り」など、映像素材の特徴を示す番組制作者の主観的な記述（不採用理由）が保持される。
【００６９】
次に、番組制作者が、必要な映像素材に対する更に詳細なイメージを追加で指示すると、図３１に示すように、指示内容が指示データとして番組編集者へ送信される（処理Ｄ）。追加の指示における指示データは、番組ＩＤ、シーケンスナンバー、シーンナンバー、カットナンバー、指示ＩＤまでは同じであるが、指示回数の値が２にインクリメントされている。一方、番組編集者は、追加指示に基づいて再び映像検索や編集などの処理を行い、番組構成表の中で指示連絡に対応する映像素材として結果を入力すると、図３２に示すように、入力内容が応答データとして番組制作者へ送信される（処理Ｅ）。この場合、１回目とは別の映像素材を検索したり、編集したりするので、応答データの素材ＩＤは１回目と異なる値となる。
【００７０】
番組制作者は、番組編集者からの結果報告の内容を吟味し、当該映像素材を採用するか否かを決定するが、図２６の例では、番組制作者の意向に沿う映像素材であるとして採用とされる。そのため、図３３に示すように、採用を示す採択データが番組編集者へ送信される（処理Ｆ）。
【００７１】
データ種別判別部３２０が採択データの登録を検知すると、履歴データ継承部３３０に採択データが送出され、この場合は採用素材継承部３３２で図３４に示すような素材履歴データが生成される。
【００７２】
以上のように、実施の形態２の番組制作支援システムによれば、映像素材と当該映像素材の特徴を表す主観的情報とを関連付けた素材履歴データを生成し、記憶装置３００に記憶させることにより、主観的情報に基づく映像素材の検索が行える為、所望の映像素材を的確に迅速に検索することができる。
【００７３】
（実施の形態３）
次に、履歴データ継承部３３０の履歴データ継承動作において、不採用の採択データに基づいて、指示データから反対語キーワードを作成して素材履歴データを生成する番組制作支援システムについて説明する。
【００７４】
図３５は、本発明の実施の形態３における番組制作支援システムの、履歴データ継承部の詳細な内部構成を示す図である。実施の形態２の履歴データ継承部３３０と比較して、履歴データ継承部３３０内に、不採用素材継承部３３３に接続するキーワード反対語変換部４００を具備する点が異なる。不採用素材継承部３３３は、不採用を示す採択データが指定する映像素材とその特徴に関する主観的情報とを関連付けて素材履歴データを生成するが、後述するように、キーワード反対語変換部４００で指示データに含まれる指示内容の反対語を生成し、その反対語が、対象となる映像素材の特徴を的確に表す主観的情報として素材履歴データに採用される。
【００７５】
尚、本実施の形態の番組制作支援システムのその他のシステム構成は、実施の形態２（図１７参照）と同じであるため、説明を省略する。
【００７６】
図３６から図３９は、キーワード反対語変換部４００を含む履歴データ継承部３３０における処理とデータの流れについて説明するための図である。富士山の素材について番組製作者と番組編集者との間でコミュニケーションが行われている場合を想定する。
【００７７】
はじめに、不採用素材継承部３３３は、不採用となった採択データと、それに対応する応答データ及び指示データを記憶装置３００から取得する（図３６、処理１）。そして、指示データの指示内容をすべて取得してキーワード反対語変換部４００へ出力する（図３７、処理２）。図に示すように、大きい富士山という素材の取得という指示があった場合、「大きい」という指示内容（指示単語）がキーワード反対語変換部４００へ出力されると、キーワード反対語変換部４００は、後述するキーワード反対語変換処理により、指示単語の反対語「小さい」を生成する。不採用素材継承部３３３は、生成された反対語を取得し（図３８、処理３）、不採用となった採択データに関連付けられた映像素材の特徴を表す主観的情報として素材履歴データを生成する（図３９、処理４）。図３９に示す表は、素材履歴データのデータ構成を概念的に示すものである。
【００７８】
次に、上記構成の番組制作支援システムの、不採用素材継承部３３３における素材履歴データ生成動作について説明する。尚、採用素材継承部３３２における素材履歴データ生成処理手順は、実施の形態１のそれと同じであるため、説明を省略する。図４０は、不採用素材継承部３３３における素材履歴データ生成処理の手順を示すフローチャートである。
【００７９】
不採用素材継承部３３３は、継承処理管理部３３１から不採用を示す採択データを取得して（ステップＳ８０１）、番組ＩＤ、指示ＩＤ、指示回数、不採用理由の各値を取得する（ステップＳ８０２、図３６の処理１−ａ）。不採用素材継承部３３３は、取得した指示回数と同じ指示回数の応答データを記憶装置３００から検索、取得し（ステップＳ８０３）、取得した応答データから素材ＩＤを抽出する（ステップＳ８０４、図３６の処理１−ｂ）。
【００８０】
次に、不採用素材継承部３３３は、取得した採択データの素材ＩＤと同じＩＤの素材履歴データが過去に登録されているか否かを判定する（ステップＳ８０５）。登録されている場合、まず該当する素材履歴データを記憶装置３００から取得する（ステップＳ８０６）。次に、採択データの番組ＩＤと指示ＩＤをキーにしてすべての指示データを検索、取得する（ステップＳ８０７）。更に、取得した指示データから指示内容データを取得して（ステップＳ８０８）、すべての指示内容をキーワード反対語変換部４００へ入力する（ステップＳ８０９）。キーワード反対語変換部４００は、入力された指示内容に基づく指示単語について、後述する手順で反対指示単語を生成するキーワード反対語変換処理を行う（ステップＳ８１０）。
【００８１】
次に、不採用素材継承部３３３は、キーワード反対語変換部４００で生成した反対指示単語を取得し（ステップＳ８１１）、取得した反対指示単語、不採用理由の単語（以下、不採用単語と称する）を、既に登録されている素材履歴データに反映する(ステップＳ８１２）。
【００８２】
一方、登録されていない場合、採択データの番組ＩＤと指示ＩＤをキーにしてすべての指示データを検索、取得する（ステップＳ８１３、図３６の処理１−ｃ）。更に、取得した指示データから指示内容を取得して（ステップＳ８１４）、すべての指示内容をキーワード反対語変換部４００へ入力する（ステップＳ８１５、図３７の処理２）。キーワード反対語変換部４００は、入力された指示内容に基づく指示単語について、後述する手順で反対指示単語を生成するキーワード反対語変換処理を行う（ステップＳ８１６）。
【００８３】
次に、不採用素材継承部３３３は、キーワード反対語変換部４００で生成した反対指示単語を取得し（ステップＳ８１７、図３８の処理３）、素材ＩＤと反対指示単語、不採用単語から、素材履歴データを生成する(ステップＳ８１８、図３９の処理４）。
【００８４】
図４１は、不採用素材継承部３３３におけるデータの具体的な流れを模式的に示す図である。本実施の形態では、キーワード反対語変換部４００で反対語変換された反対指示単語と、不採用理由に基づく不採用単語が、素材履歴データの素材内容として採用されるデータである。
【００８５】
ここで、キーワード反対語変換部４００が行うキーワード反対語変換処理について詳細に説明する。図４２は、キーワード反対語変換部のキーワード反対語変換処理手順を示すフローチャートである。
【００８６】
はじめに、不採用素材継承部３３３から指示内容を取得したキーワード反対語変換部４００は（ステップＳ９０１）、指示内容を単語に分解する（ステップＳ９０２）。例えば、番組制作者から番組編集者への「大きい映像」という指示は、大きい／映像に分解され、指示内容と判断される「大きい」が指示単語として抽出される。尚、文章を最小単位の単語に分解する方法は、公知の手法を用いてよい。
【００８７】
次に、キーワード反対語変換部４００は、指示単語を反対語に変換する（ステップＳ９０３）。この変換方法も、対となる単語を登録した辞書を利用するなど、公知の手法を用いてよい。図の例では、「大きい」の反対であるので、「小さい」となる。そして、キーワード反対語変換部４００は、変換後の指示単語を不採用素材継承部３３３へ出力する（ステップＳ９０４）。「富士山の大きい映像」との指示に対して番組編集者が提示した映像が不採用となったということは、番組制作者は、当該映像に対して主観的に“大きくない”、即ち、「小さい」と判断したと考えられる。従って、当該映像の素材履歴データには、「大きい」の反対語である「小さい」を採用することができる。
【００８８】
以上の手順により素材履歴データの登録が行われる。素材履歴データには、番組制作者による主観的情報（例えば、図の例では富士山の映像に関する「大きい・小さい」などの映像の特徴を示す記述など）が網羅されるため、以降はそれらをキーワードとして所望の映像素材を的確に迅速に検索することができる。尚、上記の例では、指示内容が単一の場合について説明したが、指示内容が複数の場合でも適用可能であることは言うまでもない。
【００８９】
以下では、番組制作者と番組編集者が行う指示や応答のやり取りの中で生成される素材履歴データについて具体的に説明する。図４３は、番組制作者と番組編集者の間で行われる指示、応答、採択のやり取りと生成されるデータの流れを説明するための模式図である。
【００９０】
はじめに、番組制作者が、番組構成表の中で必要な映像素材とそれに対する具体的なイメージを指示すると、図４４に示すように、指示内容が指示データとして番組編集者へ送信される（処理Ａ）。一方、番組編集者は、指示に基づいて映像検索や編集などの処理を行い、同じく番組構成表の中で指示連絡に対応する映像素材として結果を入力すると、図４５に示すように、入力内容が応答データとして番組制作者へ送信される（処理Ｂ）。
【００９１】
番組制作者は、番組編集者からの結果報告の内容を吟味し、当該映像素材を採用するか否かを決定するが、図４３の例では、番組制作者のイメージにそぐわない映像素材であるとして不採用とされる。そのため、図４６に示すように、不採用を示す採択データが番組編集者へ送信される（処理Ｃ）。不採用素材継承部３３３についての例であるので、採用の場合の指示や応答のやり取りは説明を省略する。
【００９２】
以上のように、実施の形態３の番組制作支援システムによれば、指示単語の反対語を用いて素材履歴データを生成することにより、不採用となった映像素材の特徴を表す的確な主観的情報を当該映像と関連付けることができる。従って、主観的情報に基づく映像素材の検索が行え、所望の映像素材を的確に迅速に検索することができる。
【００９３】
（実施の形態４）
次に、履歴データ継承部３３０の履歴データ継承動作において、不採用の採択データに基づいて、素材内容と異なる不適切なキーワードを指示データから削除して素材履歴データを生成する番組制作支援システムについて説明する。
【００９４】
図４７は、本発明の実施の形態４における番組制作支援システムの、履歴データ継承部の詳細な内部構成を示す図である。実施の形態２の履歴データ継承部３３０と比較して、履歴データ継承部３３０内に、不採用素材継承部３３３に接続する不適当キーワード削除部４１０を具備する点が異なる。不採用素材継承部３３３は、不採用を示す採択データが指定する映像素材とその特徴に関する主観的情報とを関連付けて素材履歴データを生成するが、後述するように、指示データに含まれる指示内容のうち、不適切なキーワードが不適当キーワード削除部４１０で削除され、適切な指示内容だけが対象となる映像素材の特徴を的確に表す主観的情報として素材履歴データに採用される。
【００９５】
尚、本実施の形態の番組制作支援システムのその他のシステム構成は、実施の形態２（図１７参照）と同じであるため、説明を省略する。
【００９６】
図４８から図５１は、不適切キーワード削除部４１０を含む不採用素材継承部３３３における処理とデータの流れについて説明するための図である。
【００９７】
はじめに、不採用素材継承部３３３は、不採用となった採択データと、それに対応する応答データ及び指示データを記憶装置３００から取得する（図４８、処理１）。そして、指示データの指示内容と採択データの採択理由（不採用理由）をすべて取得して不適当キーワード削除部４１０へ出力する（図４９、処理２）。図の例では、富士山の素材について番組製作者と番組編集者との間でコミュニケーションが行われている場合を想定する。「大きい、明るい」という指示内容（指示単語）と、不採用理由である「小さい」という単語が不適当キーワード削除部４１０へ出力されると、不適当キーワード削除部４１０は、後述する不適当キーワード削除処理により、「大きい」という指示単語を指示単語から削除する。一方、「明るい」という指示単語は削除されない。不採用素材継承部３３３は、削除処理を行った後の指示単語と不採用理由を取得し（図５０、処理３）、不採用となった採択データに関連付けられた映像素材の特徴を表す主観的情報として素材履歴データを生成する（図５１、処理４）。図５１に示す表は、素材履歴データのデータ構成を概念的に示すものである。素材内容として、「明るい」と「小さい」が採用されている。
【００９８】
次に、上記構成の番組制作支援システムの、不採用素材継承部３３３における素材履歴データ生成動作について説明する。尚、採用素材継承部３３２における素材履歴データ生成処理手順は、実施の形態１のそれと同じであるため、説明を省略する。図５２は、不採用素材継承部３３３における素材履歴データ生成処理の手順を示すフローチャートである。
【００９９】
不採用素材継承部３３３は、継承処理管理部３３１から不採用を示す採択データを取得して（ステップＳ１００１）、番組ＩＤ、指示ＩＤ、指示回数、不採用理由の各値を取得する（ステップＳ１００２、図４８の処理１−ａ）。不採用素材継承部３３３は、取得した指示回数と同じ指示回数の応答データを記憶装置３００から検索、取得し（ステップＳ１００３）、取得した応答データから素材ＩＤを抽出する（ステップＳ１００４、図４８の処理１−ｂ）。
【０１００】
次に、不採用素材継承部３３３は、取得した採択データの素材ＩＤと同じＩＤの素材履歴データが過去に登録されているか否かを判定する（ステップＳ１００５）。登録されている場合、まず該当する素材履歴データを記憶装置３００から取得する（ステップＳ１００６）。次に、採択データの番組ＩＤと指示ＩＤをキーにしてすべての指示データを検索、取得する（ステップＳ１００７）。更に、取得したすべての指示データから指示内容データを取得して（ステップＳ１００８）、すべての指示内容と採択データの不採用理由を不適当キーワード削除部４１０へ入力する（ステップＳ１００９）。不適当キーワード削除部４１０は、入力された指示内容と不採用理由に基づく指示単語と不採用単語について、後述する手順で不適当キーワード削除処理を行う（ステップＳ１０１０）。
【０１０１】
次に、不採用素材継承部３３３は、不適当キーワード削除部４１０で削除処理を行った指示単語、不採用単語を取得し（ステップＳ１０１１）、取得した指示単語、不採用単語を既に登録されている素材履歴データに反映する(ステップＳ１０１２）。
【０１０２】
一方、登録されていない場合、採択データの番組ＩＤと指示ＩＤをキーにしてすべての指示データを検索、取得する（ステップＳ１０１３、図４８の処理１−ｃ）。更に、取得した指示データから指示内容を取得して（ステップＳ１０１４）、すべての指示内容と採択データの不採用理由を不適当キーワード削除部４１０へ入力する（ステップＳ１０１５、図４９の処理２）。不適当キーワード削除部４１０は、入力された指示内容と不採用理由に基づく指示単語と不採用単語について、後述する手順で不適当キーワード削除処理を行う（ステップＳ１０１６）。
【０１０３】
次に、不採用素材継承部３３３は、不適当キーワード削除部４１０で削除処理を行った指示単語、不採用単語を取得し（ステップＳ１０１７、図５０の処理３）、素材ＩＤと反対指示単語、不採用単語から、素材履歴データを生成する(ステップＳ１０１８、図５１の処理４）。
【０１０４】
図５３は、不採用素材継承部３３３におけるデータの具体的な流れを模式的に示す図である。本実施の形態では、不適当キーワード削除部４１０で削除された残りの指示単語と、不採用理由に基づく不採用単語が、素材履歴データの素材内容として採用されるデータである。
【０１０５】
ここで、不適当キーワード削除部４１０が行う不適当キーワード削除処理について詳細に説明する。図５４は、不適当キーワード削除部の不適当キーワード削除処理手順を示すフローチャートである。
【０１０６】
はじめに、不採用素材継承部３３３から指示内容と不採用理由を取得した不適当キーワード削除部４１０は（ステップＳ１１０１）、はじめに指示内容（ステップＳ１１０２）、次に不採用理由を単語に分解する（ステップＳ１１０２、ステップＳ１１０３）。例えば、番組制作者から番組編集者への「大きい明るい」という指示は、大きい／明るいに分解され、指示内容と判断される「大きい」と「明るい」が指示単語として抽出される。尚、文章を最小単位の単語に分解する方法は、公知の手法を用いてよい。
【０１０７】
次に、不適当キーワード削除部４１０は、指示単語に不採用単語の反対語または否定語が含まれるか否かを判定する（ステップＳ１１０４）。この判定方法は、対となる単語を登録した辞書を利用するなど、公知の手法を用いてよい。反対語または否定語が含まれている場合、不適当キーワード削除部４１０は、当該指示単語を削除する（ステップＳ１１０５）。図の例では、不採用理由「小さい」の反対語である「大きい」が指示単語に含まれているので、この「大きい」が不適切なキーワードとして削除される。そして、不適当キーワード削除部４１０は、削除処理後に残った指示単語と不採用単語を不採用素材継承部３３３へ出力する（ステップＳ１１０６）。「富士山の大きい明るい映像」との指示に対して番組編集者が提示した映像が不採用となったということは、当該映像に対する番組制作者の主観的情報は不採用理由である“小さい”であり、従って「小さい」の反対語である「大きい」という指示単語は不適切であり、素材履歴データから除外されるべきである。一方、それ以外には不採用理由がないため、当該映像は、番組製作者からの「明るい」という指示には合致していると判断される。そのため指示単語「明るい」は素材履歴データとして採用される。同様に、不採用理由である「小さい」も当該映像の有効な主観的情報として素材履歴データに採用される。
【０１０８】
以上の手順により素材履歴データの登録が行われる。素材履歴データには、番組制作者による主観的情報（例えば、図の例では富士山の映像に関する「大きい・小さい」などの映像の特徴を示す記述など）が網羅されるため、以降はそれらをキーワードとして所望の映像素材を的確に迅速に検索することができる。本実施の形態によれば、指示内容が複数の指示単語を含み、一部の指示単語が示す条件を満たさないために不採用となった場合や、指示単語の反対語に複数の候補がある、反対語が存在しないなど、反対語を特定できない場合であっても、番組製作者の主観に合った適切なキーワードを素材履歴データとすることができる。
【０１０９】
以下では、番組制作者と番組編集者が行う指示や応答のやり取りの中で生成される素材履歴データについて具体的に説明する。図５５は、番組制作者と番組編集者の間で行われる指示、応答、採択のやり取りと生成されるデータの流れを説明するための模式図である。
【０１１０】
はじめに、番組制作者が、番組構成表の中で必要な映像素材とそれに対する具体的なイメージを指示すると、図５６に示すように、指示内容が指示データとして番組編集者へ送信される（処理Ａ）。一方、番組編集者は、指示に基づいて映像検索や編集などの処理を行い、同じく番組構成表の中で指示連絡に対応する映像素材として結果を入力すると、図５７に示すように、入力内容が応答データとして番組制作者へ送信される（処理Ｂ）。
【０１１１】
番組制作者は、番組編集者からの結果報告の内容を吟味し、当該映像素材を採用するか否かを決定するが、図５５の例では、番組制作者のイメージにそぐわない映像素材であるとして不採用とされる。そのため、図５８に示すように、不採用を示す採択データが番組編集者へ送信される（処理Ｃ）。不採用素材継承部３３３についての例であるので、採用の場合の指示や応答のやり取りは説明を省略する。
【０１１２】
以上のように、実施の形態４の番組制作支援システムによれば、不採用理由の反対語である不適切な指示単語を削除して素材履歴データを生成することにより、不採用となった映像素材の特徴を表す的確な主観的情報だけを当該映像と関連付けることができ、従って、主観的情報に基づく映像素材の検索が行え、所望の映像素材を的確に迅速に検索することができる。
【０１１３】
以上説明した番組制作支援システムは、ドラマやドキュメンタリー番組など、主に番組制作者の主観的な製作指示に基づいて編集作業等が行われる番組制作において特に有用である。
【産業上の利用可能性】
【０１１４】
本発明は、指示データ又は応答データがそれぞれ構成作業端末又は応答作業端末から送信される度に指示データ又は応答データが番組構成表に反映されることにより、番組制作者の意図を的確に反映させた番組構成表に基づく番組制作を行うことができる為、番組制作の作業効率を向上させることができる効果を有し、放送局等で使用する番組制作支援システム等に有用である。
【図面の簡単な説明】
【０１１５】
【図１】本発明の実施の形態１における番組制作支援システムの構成を示す図
【図２】本発明の実施の形態１における番組制作支援システムを用いて実行する作業と処理の流れの概要を説明する図
【図３】番組構成表データに基づいて生成された番組構成表ＧＵＩ画面の表示例を示す模式図
【図４】番組構成表データのデータ構成を概念的に示す模式図
【図５】指示作業における番組制作支援システムの動作手順を示すフローチャート
【図６】指示作業における処理とデータの流れを説明するための図
【図７】指示データ入力画面の表示例を示す模式図
【図８】指示データのデータ構成を概念的に示す模式図
【図９】応答作業における番組制作支援システムの動作手順を示すフローチャート
【図１０】応答作業における処理とデータの流れを説明するための図
【図１１】応答データ入力画面の表示例を示す模式図
【図１２】応答データのデータ構成を概念的に示す模式図
【図１３】採択作業における番組制作支援システムの動作手順を示すフローチャート
【図１４】採択作業における処理とデータの流れを説明するための図
【図１５】採択データ入力画面の表示例を示す模式図
【図１６】採択データのデータ構成を概念的に示す模式図
【図１７】本発明の実施の形態２における番組制作支援システムの構成を示す図
【図１８】本発明の実施の形態２における番組制作支援システムを用いて実行する作業と処理の流れの概要を説明する図
【図１９】素材履歴データ登録動作における番組制作支援システムの処理手順を示すフローチャート
【図２０】素材履歴データ登録動作における処理とデータの流れを説明するための図
【図２１】履歴データ継承部の詳細な内部構成を示す図
【図２２】履歴データ継承動作における番組制作支援システムの処理手順を示すフローチャート
【図２３】採用素材継承部における素材履歴データ生成処理の手順を示すフローチャート
【図２４】不採用素材継承部における素材履歴データ生成処理の手順を示すフローチャート
【図２５】生成される素材履歴データのデータ構成を概念的に示す模式図
【図２６】番組制作者と番組編集者の間で行われる指示、応答、採択のやり取りと生成されるデータの流れを説明するための模式図
【図２７】番組制作者から番組編集者へ指示データが送信される様子を示す模式図（１回目）
【図２８】番組編集者から番組制作者へ応答データが送信される様子を示す模式図（１回目）
【図２９】番組制作者から番組編集者へ採択データが送信される様子を示す模式図（１回目）
【図３０】採択データに基づいて生成される素材履歴データのデータ構成を概念的に示す模式図（１回目）
【図３１】番組制作者から番組編集者へ指示データが送信される様子を示す模式図（２回目）
【図３２】番組編集者から番組制作者へ応答データが送信される様子を示す模式図（２回目）
【図３３】番組制作者から番組編集者へ採択データが送信される様子を示す模式図（２回目）
【図３４】採択データに基づいて生成される素材履歴データのデータ構成を概念的に示す模式図（２回目）
【図３５】本発明の実施の形態３における番組制作支援システムの、履歴データ継承部の詳細な内部構成を示す図
【図３６】キーワード反対語変換部を含む履歴データ継承部における処理とデータの流れについて説明するための図
【図３７】キーワード反対語変換部を含む履歴データ継承部における処理とデータの流れについて説明するための図
【図３８】キーワード反対語変換部を含む履歴データ継承部における処理とデータの流れについて説明するための図
【図３９】キーワード反対語変換部を含む履歴データ継承部における処理とデータの流れについて説明するための図
【図４０】不採用素材継承部における素材履歴データ生成処理の手順を示すフローチャート
【図４１】不採用素材継承部におけるデータの具体的な流れを模式的に示す図
【図４２】キーワード反対語変換部のキーワード反対語変換処理手順を示すフローチャート
【図４３】番組制作者と番組編集者の間で行われる指示、応答、採択のやり取りと生成されるデータの流れを説明するための模式図
【図４４】番組制作者から番組編集者へ指示データが送信される様子を示す模式図（１回目）
【図４５】番組編集者から番組制作者へ応答データが送信される様子を示す模式図（１回目）
【図４６】番組制作者から番組編集者へ採択データが送信される様子を示す模式図（１回目）
【図４７】本発明の実施の形態４における番組制作支援システムの、履歴データ継承部の詳細な内部構成を示す図
【図４８】不適切キーワード削除部を含む不採用素材継承部における処理とデータの流れについて説明するための図
【図４９】不適切キーワード削除部を含む不採用素材継承部における処理とデータの流れについて説明するための図
【図５０】不適切キーワード削除部を含む不採用素材継承部における処理とデータの流れについて説明するための図
【図５１】不適切キーワード削除部を含む不採用素材継承部における処理とデータの流れについて説明するための図
【図５２】不採用素材継承部における素材履歴データ生成処理の手順を示すフローチャート
【図５３】不採用素材継承部におけるデータの具体的な流れを模式的に示す図
【図５４】不適当キーワード削除部の不適当キーワード削除処理手順を示すフローチャート
【図５５】番組制作者と番組編集者の間で行われる指示、応答、採択のやり取りと生成されるデータの流れを説明するための模式図
【図５６】番組制作者から番組編集者へ指示データが送信される様子を示す模式図（１回目）
【図５７】番組編集者から番組制作者へ応答データが送信される様子を示す模式図（１回目）
【図５８】番組制作者から番組編集者へ採択データが送信される様子を示す模式図（１回目）
【符号の説明】
【０１１６】
１１  指示データ入力部
１２  指示データ送信部
２１  応答データ受信部
２２  応答データ表示部
３１  採択データ入力部
３２  採択データ送信部
４０  送受信部（構成作業端末）
５１  指示データ受信部
５２  指示データ表示部
６１  応答データ入力部
６２  応答データ送信部
７１  採択データ受信部
７２  採択データ表示部
８０  送受信部（応答作業端末）
９１  番組構成表データ
９２  指示データ
９３  応答データ
９４  採択データ
９５  映像素材データ
１００  構成作業端末
２００  応答作業端末
３００  記憶装置
３１０  素材履歴データ管理部
３２０  データ種別判別部
３３０  履歴データ継承部
３３１  継承処理管理部
３３２  採用素材継承部
３３３  不採用素材継承部
４００  キーワード反対語変換部
４１０  不適当キーワード削除部
【図１】
2006121666.tif 000003
【図２】
2006121666.tif 000004
【図３】
2006121666.tif 000005
【図４】
2006121666.tif 000006
【図５】
2006121666.tif 000007
【図６】
2006121666.tif 000008
【図７】
2006121666.tif 000009
【図８】
2006121666.tif 000010
【図９】
2006121666.tif 000011
【図１０】
2006121666.tif 000012
【図１１】
2006121666.tif 000013
【図１２】
2006121666.tif 000014
【図１３】
2006121666.tif 000015
【図１４】
2006121666.tif 000016
【図１５】
2006121666.tif 000017
【図１６】
2006121666.tif 000018
【図１７】
2006121666.tif 000019
【図１８】
2006121666.tif 000020
【図１９】
2006121666.tif 000021
【図２０】
2006121666.tif 000022
【図２１】
2006121666.tif 000023
【図２２】
2006121666.tif 000024
【図２３】
2006121666.tif 000025
【図２４】
2006121666.tif 000026
【図２５】
2006121666.tif 000027
【図２６】
2006121666.tif 000028
【図２７】
2006121666.tif 000029
【図２８】
2006121666.tif 000030
【図２９】
2006121666.tif 000031
【図３０】
2006121666.tif 000032
【図３１】
2006121666.tif 000033
【図３２】
2006121666.tif 000034
【図３３】
2006121666.tif 000035
【図３４】
2006121666.tif 000036
【図３５】
2006121666.tif 000037
【図３６】
2006121666.tif 000038
【図３７】
2006121666.tif 000039
【図３８】
2006121666.tif 000040
【図３９】
2006121666.tif 000041
【図４０】
2006121666.tif 000042
【図４１】
2006121666.tif 000043
【図４２】
2006121666.tif 000044
【図４３】
2006121666.tif 000045
【図４４】
2006121666.tif 000046
【図４５】
2006121666.tif 000047
【図４６】
2006121666.tif 000048
【図４７】
2006121666.tif 000049
【図４８】
2006121666.tif 000050
【図４９】
2006121666.tif 000051
【図５０】
2006121666.tif 000052
【図５１】
2006121666.tif 000053
【図５２】
2006121666.tif 000054
【図５３】
2006121666.tif 000055
【図５４】
2006121666.tif 000056
【図５５】
2006121666.tif 000057
【図５６】
2006121666.tif 000058
【図５７】
2006121666.tif 000059
【図５８】
2006121666.tif 000060